(57)【要約】【課題】  ディスク装置において、落下衝撃などの過度の衝撃が不慮に加えられても、ディスクトレイの出退動作の円滑性が損なわれたりカム機構の動作の円滑性が損なわれたりすることをなくする。【解決手段】  光ピックアップをディスク面に対向させる動作位置とその動作位置から後退して光ピックアップをディスク面から遠ざける退避位置との間で揺動される揺動部材４と、揺動部材４が取り付けられているシャーシ１と、揺動部材４の動作位置での位置精度を高める機能を果たすガイド機構６と、揺動部材４を揺動させるためのカム機構５とを有する。揺動部材４が退避位置を越えて後退したときにその後退動作を阻止するストッパ機構７を追加して設ける。ストッパ機構７が、シャーシ１側の固定側係合部７１とシフトレバー５１側の可動側係合部７５とを備えている。【選択図】        図１
2008052855.tif 000002
【特許請求の範囲】
【請求項１】
ディスク面との対向位置でそのディスク面の光学処理を行う光ピックアップを搭載して、基端部を支点として上記光ピックアップを上記ディスク面に対向させる動作位置とその動作位置から後退して上記光ピックアップを上記ディスク面から遠ざける退避位置との間で揺動される揺動部材と、
この揺動部材の上記基端部が取り付けられている固定側部材であるシャーシと、
このシャーシに具備されたガイド溝部及びこのガイド溝部により移動経路が案内される可動片とを有して、その可動片が上記揺動部材の自由端部に具備されて上記揺動部材の動作位置での位置精度を高める機能を果たすガイド機構と、
上記揺動部材を上記動作位置及び退避位置の相互間で揺動させるためのカム機構と、を有し、
上記ガイド溝部は上記揺動部材がその退避位置を越えて後退したときに上記可動片が抜け出ることを許容する溝口を一方側の端部に有しているディスク装置において、
上記揺動部材がその退避位置を越えて後退したときにその揺動部材の後退動作を阻止して上記可動片がガイド溝部の上記溝口から抜け出さないようにするストッパ機構を備えていると共に、上記カム機構が、揺動部材に連結されたシフトレバーとこのシフトレバーの昇降動作に追従させて揺動部材を動作位置及び退避位置の相互間で揺動させるカム本体とを備え、上記ストッパ機構が、樹脂成形体でなる上記シャーシに一体成形された固定側係合部と樹脂成形体でなる上記シフトレバーに一体成形された上記係合部に係合可能な可動側係合部とを備えていることを特徴とするディスク装置。
【請求項２】
ディスク面との対向位置でそのディスク面の光学処理を行う光ピックアップを搭載して、基端部を支点として上記光ピックアップを上記ディスク面に対向させる動作位置とその動作位置から後退して上記光ピックアップを上記ディスク面から遠ざける退避位置との間で揺動される揺動部材と、
この揺動部材の上記基端部が取り付けられている固定側部材であるシャーシと、
このシャーシに具備されたガイド溝部及びこのガイド溝部により移動経路が案内される可動片とを有して、その可動片が上記揺動部材の自由端部に具備されて上記揺動部材の動作位置での位置精度を高める機能を果たすガイド機構と、
上記揺動部材を上記動作位置及び退避位置の相互間で揺動させるためのカム機構と、を有し、
上記ガイド溝部は上記揺動部材がその退避位置を越えて後退したときに上記可動片が抜け出ることを許容する溝口を一方側の端部に有しているディスク装置において、
上記揺動部材がその退避位置を越えて後退したときにその揺動部材の後退動作を阻止して上記可動片がガイド溝部の上記溝口から抜け出さないようにするストッパ機構を備えていることを特徴とするディスク装置。
【請求項３】
上記カム機構が、揺動部材に連結されたシフトレバーとこのシフトレバーの昇降動作に追従させて揺動部材を動作位置及び退避位置の相互間で揺動させるカム本体とを備え、上記ストッパ機構が、上記シャーシに設けられた固定側係合部と上記シフトレバーに設けられてて上記係合部に係合可能な可動側係合部とを備える請求項２に記載したディスク装置。
【請求項４】
上記シフトレバーが、上記揺動部材の自由端部に設けられている請求項３に記載したディスク装置。
【発明の詳細な説明】
【技術分野】
【０００１】
本発明は、トラバースと呼ばれている揺動部材の揺動動作がガイド機構によって案内されるようになっているディスク装置、特に、上記ガイド機構が揺動部材の動作位置での位置精度を高める機能を果たしているディスク装置に関する。
【背景技術】
【０００２】
ディスク面を光ピックアップにより光学処理して記録又は再生を行うＤＶＤドライブなどのディスク装置を図４に外観斜視図で示してある。同図のディスク装置では、ローダシャーシと呼ばれている固定側部材としてのシャーシ１にディスクトレイ２が出退可能に組み付けられていて、このディスクトレイ２の出退動作を通じてディスク（不図示）が図示していない光ピックアップによる光学処理が可能にセット位置に対して搬入搬出されるようになっている。そして、ディスクトレイ２によってセット位置に搬入されたディスクがクランプ機構（不図示）によりクランプされた状態で、光ピックアップによるディスク面の光学処理が行われる。
【０００３】
図５（Ａ）は上記セット位置に搬入されたディスクＤがシャーシ１に組み付けられているクランプ機構３によってクランプされている状態を示す概略断面図、同図（Ｂ）はクランプ機構３によるクランプ状態が解除されてディスクがセット位置から搬出された状態を示す概略断面図である。
【０００４】
図５のクランプ機構３は、モータＭの回転軸に直結された回転テーブル３１と、この回転テーブル３１に対向してシャーシ１の梁部１２に装備されたクランパー３２とを備えているのに対し、上記モータＭが、図示していない光ピックアップを搭載している矩形枠形の揺動部材４に装備されている。揺動部材４は、その基端部（後端部）がその幅方向両端部などの適所でゴムでなる緩衝材としての弾性体４１を介してシャーシ１に片持ち状態で取り付けられていて、その弾性体４１の配備箇所である基端部を支点として動作位置とその下側の退避位置との間で揺動自在になっている。そして、図５（Ａ）のように、揺動部材４が動作位置に位置しているときには、ディスクＤの載架されたターンテーブル３１がクランパー３２に近付いて両者３１，３２が共働してディスクＤを挟持すると共に、光ピックアップがそのディスク面に対向する。光ピックアップによるディスク面の光学処理は、このようにクランプ機構３がディスクＤのクランプ動作を行っている状態で回転テーブル３１と共にディスクＤを回転させるという動作を通じて行われる。これに対し、図５（Ｂ）のように揺動部材４が退避位置に後退しているときには、ターンテーブル３１が光ピックアップと共に下降してクランパー３２との間にディスクの通過を許す隙間が形成され、光ピックアップはディスク面から遠ざけられる。ディスクトレイ２（図４参照）によるディスクＤの搬入搬出動作は、このように揺動部材４が動作位置から退避位置に揺動しているときに行われる。そして、揺動部材４が動作位置から退避位置に後退することによって、クランプ機構３によるクランプ解除動作が行われる。図５（Ｂ）にはディスクの搬入搬出方向を矢印Ｒで示してある。
【０００５】
揺動部材４を動作位置と退避位置との相互間で揺動させるための機構にはカム機構５が採用されている。図例のカム機構５は、揺動部材４の自由端部に振動吸収作用を発揮するゴムでなる緩衝材としての弾性体４２を介して連結されたシフトレバー５１とこのシフトレバー５１の昇降動作に追従させて揺動部材４を動作位置及び退避位置の相互間で揺動させるカム本体５５とを備えている。さらに具体的には、シフトレバー５１に備わっている突起部５２がカム本体５５に備わっているカム面５６に摺動自在に係合している。図例のディスク装置では、カム本体５５がシャーシ１の幅方向に移動可能なカムスライダにより形成されていて、そのようなカム本体５５の駆動のための動力がギヤ５７によって伝達されるようになっている。
【０００６】
図６（Ａ）は揺動部材４が動作位置に揺動している状態でのカム機構５の要部の正面図、同図（Ｂ）は揺動部材４が退避位置に揺動している状態でのカム機構５の要部の正面図である。カム機構５のカム本体５５はシャーシ１の幅方向に往復移動可能なカムスライダでなり、傾斜したカム面５６を備えている。そして、そのカム面５６にシフトレバー５１（図５参照）の前端に設けられた突起部５２が摺動自在に係合している。このカム機構５では、カム本体５５が矢印Ｗ１のように往動したときにシフトレバー５１が上昇し、その上昇動作に追従して揺動部材４が退避位置から動作位置まで揺動する（図５（Ａ）参照）のに対し、カム本体５５が矢印Ｗ２のように復動したときにシフトレバー５１が下降し、その下降動作に追従して揺動部材４が動作位置から退避位置まで揺動する（図５（Ｂ）参照）。  
【０００７】
なお、このディスク装置に採用されている上記弾性体４１，４２は、光ピックアップによる光学処理時のモータＭや回転テーブル３１の回転に伴う振動を吸収する作用を発揮する程度の弾力性を備えている。また、揺動部材４の自由端部とシフトレバー５１との連結箇所に介在されている弾性体４２は、シフトレバー５１の昇降時に変形してそのシフトレバー５１を揺動部材４の自由端部に対して揺動させ得る程度の弾力性を備えている。
【０００８】
図７は上記ディスク装置に採用されているガイド機構６を示す平面図である。ガイド機構６は、シャーシ１に具備されたガイド溝部６１及びこのガイド溝部６１により移動経路が案内される可動片６２とを有して、その可動片６２が揺動部材４の自由端部に具備されている。そして、このガイド機構６の作用により、揺動部材４が退避位置から揺動して動作位置に達したときには、その位置精度が高められて上述したクランプ機構３に要求されているディスクに対するクランプ性能が満足されるようになっている。
【０００９】
図８（Ａ）は揺動部材４が動作位置に位置しているときのガイド機構９の状態を示した説明図、同図（Ｂ）は揺動部材４が退避位置に位置しているときのガイド機構９の状態を示した説明図、同図（Ｃ）は揺動部材４が退避位置を越えて後退しているときのガイド機構９の状態の一例を示した説明図である。また、図９は揺動部材４が退避位置に位置しているときのシフトレバー５１の位置を実線で示し、かつ、揺動部材４が退避位置を越えて後退したときのシフトレバー５１の位置を仮想線で示した説明図である。
【００１０】
図８によって判るように、ガイド機構６のガイド溝部６１は、その長手方向（図において上下方向）の両端部が開口されている。そのため、その一方側の端部（図において下端部）の溝口６１ａは、揺動部材４がその退避位置を越えて後退したときに可動片６２が抜け出ることを許容する。これは主に次のような理由による。すなわち、ガイド溝部６１の長さを長くすることが揺動部材４の高さ（厚さ）を高くすることにつながるので、ガイド溝部６１をできるだけ短くして揺動部材４の動作位置と退避位置との間の揺動幅を十分に大きくしたいという要求に応えるためである。あるいは、ガイド溝部６１を一体に備えているシャーシ１（図４又は図７参照）を樹脂で成形する場合に、その成形型の抜き方向（離型方向）をシャーシ１の上下方向に定めると、ガイド溝部６１の両端部を開口させておくことが成形型の形状を単純化したり成形型の部品数を少なく抑えたりすることに役立つようになるからである。
【００１１】
図８（Ｃ）や図９に仮想線で示したように可動片６２がガイド溝部６１の溝口６１ａから抜け出てシフトレバー５１の位置が矢印Ｌのように下がり過ぎるという事態は、落下時などに予期しない過度の衝撃が当該ディスク装置に加わったときにカム機構５の突起部５２がカム本体５５から離脱したようなときに起こり得る。
【００１２】
一方、従来より、ディスクローディング装置では、ディスク駆動モータを搭載したモータ支持板を、そのモータ支持板に設けたガイドピンとその相手方部位であるガイド溝との作用で案内しながらディスク駆動モータの移動を行うことが公知である（たとえば、特許文献１参照）。また、従来より、ディスク装置が落下衝撃を受けた際に、トラバースユニットがメインシャーシから脱落することを抑制するための技術が提案されている（たとえば、特許文献２参照）。さらに、サブシャーシをメインシャーシに対して簡単に取り付けることができるようにするための対策を講じたディスクローディング装置が公知である（たとえば、特許文献３参照）。
【特許文献１】特開平１０−５５６５４号公報
【特許文献２】特開２００４−１６４７２１号公報
【特許文献３】特開平７−２４００８５号公報
【発明の開示】
【発明が解決しようとする課題】
【００１３】
図４〜図９を参照して説明したディスク装置において、図８（Ｃ）や図９の仮想線のように、可動片６２がガイド溝部６１の溝口６１ａから抜け出てシフトレバー５１の位置が矢印Ｌのように下がり過ぎているという状況では、揺動部材４がその退避位置からさらに後退している。そのため、そのよう状況下では、ディスクトレイ２の出退動作が円滑に行われなくなっていたり、カム機構５の突起部５２がカム本体５５から離脱していたりして、ディスク装置に要求される機械的諸性能が満たされなくなっている。そこで、揺動部材４がその退避位置からさらに後退するという事態を回避することのできる対策を講じておくことが有益である。この点に関して、上掲の特許文献１〜３には、揺動部材４がその退避位置からさらに後退するという事態を回避することに役立つ対策については何も記載されていない。
【００１４】
本発明は以上の状況に鑑みてなされたものであり、ガイド機構の可動片がガイド溝部から抜け出すことを防ぐことによって、揺動部材がその退避位置からさらに後退するという事態の回避されるディスク装置を提供することを目的とする。
【００１５】
また、ガイド機構の可動片がガイド溝部から抜け出すことを部品点数を増やすことなく防ぐことによって、揺動部材がその退避位置からさらに後退するという事態の回避されるディスク装置を提供することを目的とする。
【課題を解決するための手段】
【００１６】
本発明に係るディスク装置は、ディスク面との対向位置でそのディスク面の光学処理を行う光ピックアップを搭載して、基端部を支点として上記光ピックアップを上記ディスク面に対向させる動作位置とその動作位置から後退して上記光ピックアップを上記ディスク面から遠ざける退避位置との間で揺動される揺動部材と、この揺動部材の上記基端部が取り付けられている固定側部材であるシャーシと、このシャーシに具備されたガイド溝部及びこのガイド溝部により移動経路が案内される可動片とを有して、その可動片が上記揺動部材の自由端部に具備されて上記揺動部材の動作位置での位置精度を高める機能を果たすガイド機構と、上記揺動部材を上記動作位置及び退避位置の相互間で揺動させるためのカム機構と、を有し、上記ガイド溝部は上記揺動部材がその退避位置を越えて後退したときに上記可動片が抜け出ることを許容する溝口を一方側の端部に有している。
【００１７】
そして、上記揺動部材がその退避位置を越えて後退したときにその揺動部材の後退動作を阻止して上記可動片がガイド溝部の上記溝口から抜け出さないようにするストッパ機構を備えている。
【００１８】
この構成を採用すると、揺動部材がその退避位置を越えて後退したときには、その揺動部材の後退動作がストッパ機構により阻止されてガイド機構の可動片がガイド溝部の上記溝口から抜け出さなくなる。その結果、落下衝撃などの過度の衝撃が不慮に加えられても、ディスクトレイの出退動作の円滑性が損なわれたり、カム機構の動作の円滑性が損なわれたりするということがなくなる。
【００１９】
本発明では、上記カム機構が、揺動部材に連結されたシフトレバーとこのシフトレバーの昇降動作に追従させて揺動部材を動作位置及び退避位置の相互間で揺動させるカム本体とを備え、上記ストッパ機構が、上記シャーシに設けられた固定側係合部と上記シフトレバーに設けられてて上記係合部に係合可能な可動側係合部とを備えるという構成を採用することが望ましい。また、上記シフトレバーが、上記揺動部材の自由端部に設けられていることが望ましい。
【００２０】
本発明に係るディスク装置は、次の構成を採用することによっていっそう具体化される。すなわち、ディスク面との対向位置でそのディスク面の光学処理を行う光ピックアップを搭載して、基端部を支点として上記光ピックアップを上記ディスク面に対向させる動作位置とその動作位置から後退して上記光ピックアップを上記ディスク面から遠ざける退避位置との間で揺動される揺動部材と、この揺動部材の上記基端部が取り付けられている固定側部材であるシャーシと、このシャーシに具備されたガイド溝部及びこのガイド溝部により移動経路が案内される可動片とを有して、その可動片が上記揺動部材の自由端部に具備されて上記揺動部材の動作位置での位置精度を高める機能を果たすガイド機構と、上記揺動部材を上記動作位置及び退避位置の相互間で揺動させるためのカム機構と、を有し、上記ガイド溝部は上記揺動部材がその退避位置を越えて後退したときに上記可動片が抜け出ることを許容する溝口を一方側の端部に有しているディスク装置において、上記揺動部材がその退避位置を越えて後退したときにその揺動部材の後退動作を阻止して上記可動片がガイド溝部の上記溝口から抜け出さないようにするストッパ機構を備えていると共に、上記カム機構が、揺動部材に連結されたシフトレバーとこのシフトレバーの昇降動作に追従させて揺動部材を動作位置及び退避位置の相互間で揺動させるカム本体とを備え、上記ストッパ機構が、樹脂成形体でなる上記シャーシに一体成形された固定側係合部と樹脂成形体でなる上記シフトレバーに一体成形された上記係合部に係合可能な可動側係合部とを備えている、という構成を採用することによっていっそう具体化される。この発明の作用などについては後述する実施形態を参照して詳細に説明する。
【発明の効果】
【００２１】
以上のように、本発明によれば、揺動部材がその退避位置を越えて後退したときには、その揺動部材の後退動作がストッパ機構の作用により阻止されてガイド機構の可動片がガイド溝部の溝口から抜け出さなくなる。その結果、落下衝撃などの過度の衝撃が不慮に加えられても、ディスクトレイの出退動作の円滑性が損なわれたり、カム機構の動作の円滑性が損なわれたりするということがなくなるという効果が奏される。したがって、仮にユーザが当該ディスク装置を不注意で落下させたようなときでも、ディスクの出入れやチャッキング動作の安定性が保たれやすくなってディスク装置の耐久性が向上するという利点が得られる。
【発明を実施するための最良の形態】
【００２２】
図１は本発明に係るディスク装置の実施形態の要部を示した概略平面図、図２はストッパ機構７が動作している状態での図１のＩＩ−ＩＩ線に沿う部分の拡大断面図、図３は揺動部材４の正常な揺動動作に対応するシフトレバー５１の上下位置を示した図１のＩＩＩ−ＩＩＩ線に沿う部分の拡大断面図である。
【００２３】
この実施形態のディスク装置では、図７などを参照して冒頭で説明したディスク装置に対し、図１に示されているストッパ機構７が追加されているという構成だけが異なっていて、その他の構成は図７などを参照して冒頭で説明したディスク装置と同様である。したがって、説明の重複を回避するため、同一部分に同一符号を付すことによって共通要素の詳細説明を省略する。
【００２４】
この実施形態において、ストッパ機構７は、樹脂成形体でなるシャーシ１に一体成形されている固定側係合部７１と樹脂成形体でなるシフトレバー５１に一体成形されて上記係合部７１に係合可能な可動側係合部７５とを備えている。図２及び図３のように、図例のストッパ機構７において、固定側係合部７１は、シャーシ１に備わっている側枠部１３から延び出た薄板片によって形成されていて、その薄板片に具備された突部７１ａが上記可動側係合部７５に対峙している。そして、薄板片と側枠部１３との間に補強リブ７２を一体成形することによって薄板片を補強している。このように、固定側係合部７５を薄板片で形成して側枠部１３に対する薄板片の根元の連設部面積を少なくし、かつ、薄板片を補強リブ７２によって補強するという構成を採用しておくこと、側枠部１３の外面に所謂「退け」と称される退入部分が発生しにくくなってシャーシ１の外観がその退けによって損なわれることが抑制される。これに対し、可動側係合部７５は、シフトレバー５１から側方に突き出たフック形状に形成されている。
【００２５】
このストッパ機構７にあっては、ディスクのチャッキング時やアンチャッキング時に揺動部材４がその動作位置と退避位置との間で正常に揺動動作を行うときには、ストッパ機構７の可動側係合部７５が図３の仮想線の位置と実線の位置との間で昇降するたけである。そのため、揺動部材４の正常動作時には、可動側係合部７５が固定側係合部７１に係合することなく昇降する。
【００２６】
これに対し、揺動部材４がその退避位置を越えて後退したときに、揺動部材４と共にシフトレバー５１が下降して可動側係合部７５が図３のように固定側係合部７１の突部７１ａに係合する。そして、可動側係合部７５が固定側係合部７１の突部７１ａに係合して揺動部材４の後退動作を阻止すると、ガイド機構６の可動片６２がガイド溝部６１内にとどまってそのガイド溝部６１の溝口６１ａから抜け出さなくなるようになっている。言い換えると、ストッパ機構７の可動側係合部７５が固定側係合部７１の突部７１ａに係合した時点では、ガイド機構６の可動片６２が、溝口６１ａから抜け出すことなく、ガイド溝部６１内にとどまっている。したがって、落下衝撃などの過度の衝撃が不慮に加えられても、図８（Ｃ）のように可動片６２がガイド溝部６１の溝口６１ａから抜け出るという事態が未然に阻止される。その結果、カム機構５の突起部５２がカム本体５５から外れてしまったり、カム機構５が損傷したり、ディスクトレイの出退動作の円滑性が損なわれたりするということがなくなる。
【００２７】
この実施形態では、固定側係合部７１が樹脂成形体でなるシャーシ１に一体成形され、可動側係合部７５が樹脂成形体でなるシフトレバー５１に一体成形されているので、ストッパ機構７を追加してあるとしても、それによって部品点数が増加するということにはならない。したがって、ディスク装置の組立工数や組立作業性が、ストッパ機構７を有しない場合と同等に保たれる。言い換えると、ストッパ機構７を追加したことによって量産性が損なわれることがない。
【００２８】
なお、この実施形態では、図１のようにストッパ機構７を左右対称位置に設けてあるので、落下衝撃などによって揺動部材４が退避位置を越えて後退したとしても、ストッパ機構７が動作したときに揺動部材４がねじれるという事態が起こらない。また、この実施形態のディスク装置は、揺動部材４がディスク面との対向位置でそのディスク面の光学処理を行う光ピックアップを搭載している。ここで、光学処理とは、光ピックアップの作用によりディスク面に対して記録又は再生を光学的に行う処理のことである。
【図面の簡単な説明】
【００２９】
【図１】本発明に係るディスク装置の実施形態の要部を示した概略平面図である。
【図２】ストッパ機構が動作している状態での図１のＩＩ−ＩＩ線に沿う部分の拡大断面図である。
【図３】揺動部材の正常な揺動動作に対応するシフトレバーの上下位置を示した図１のＩＩＩ−ＩＩＩ線に沿う部分の拡大断面図である。
【図４】ディスク装置の外観斜視図である。
【図５】（Ａ）はディスクがクランプ機構によってクランプされている状態を示す概略断面図、（Ｂ）はクランプ機構によるクランプ状態が解除された状態を示す概略断面図である。
【図６】（Ａ）は揺動部材が動作位置に揺動している状態でのカム機構の要部の正面図、（Ｂ）は揺動部材が退避位置に揺動している状態でのカム機構の要部の正面図である。
【図７】ガイド機構を備えるディスク装置の要部の平面図である。
【図８】（Ａ）は揺動部材が動作位置に位置しているときのガイド機構の状態を示した説明図、（Ｂ）は揺動部材が退避位置に位置しているときのガイド機構の状態を示した説明図、（Ｃ）は揺動部材が退避位置を越えて後退しているときのガイド機構の状態の一例を示した説明図である。
【図９】揺動部材が退避位置及び退避位置を越えた位置に位置したときのシフトレバーの位置を示した説明図である。
【符号の説明】
【００３０】
Ｄ  ディスク
１  シャーシ
４  揺動部材
５  カム機構
６  ガイド機構
７  ストッパ機構
５１  シフトレバー
５５  カム本体
６１  ガイド溝部
６１ａ  溝口
６２  可動片
７１  固定側係合部
７５  可動側係合部
【図１】
2008052855.tif 000003
【図２】
2008052855.tif 000004
【図３】
2008052855.tif 000005
【図４】
2008052855.tif 000006
【図５】
2008052855.tif 000007
【図６】
2008052855.tif 000008
【図７】
2008052855.tif 000009
【図８】
2008052855.tif 000010
【図９】
2008052855.tif 000011